(57)【要約】【課題】燃料電池が発電できない状況をユーザに適切に通知することで確実に発電を行わせ、二次電池の電池電圧を維持することができる電子機器を提供する。【解決手段】二次電池４５ａと、燃料電池４５ｂとを有し、燃料電池４５ｂは、燃料電池セル５７と燃料電池セル５７に燃料を供給する燃料タンク５６とを有し、二次電池４５ａの電圧が予め設定された発電開始電圧値まで低下した場合にバルブ５２を開いて発電を開始させ二次電池４５ａを充電する燃料電池制御用マイコン５１と、燃料電池セル５７の温度を計測する温度計５５と、供給される燃料の量を測定するための燃料流量計５３と、発電量を計測する発電量計測部５４とを備え、発電が出来なくなった状況をユーザに通知するための通知制御部５９を備えた。【選択図】  図３
2011166970.tif 000002
【特許請求の範囲】
【請求項１】
二次電池と、
燃料電池セルと前記燃料電池セルに燃料を供給する燃料タンクとを有し、前記二次電池の電圧が予め設定された発電開始電圧値まで低下した場合に発電を行い、前記二次電池を充電する燃料電池と、
前記燃料電池の発電量を計測する発電量計測部と、
前記発電量が予め設定された発電異常電力量以下である場合、発電が行われていない旨の通知を行う通知制御部を備えたことを特徴とする電子機器。
【請求項２】
前記燃料タンクから前記燃料電池セルに供給される前記燃料を監視する燃料監視部をさらに備え、
前記通知制御部は、前記燃料が前記燃料電池セルに供給されていない場合、燃料が不足している旨の通知を行う請求項１記載の電子機器。
【請求項３】
前記燃料電池の発電時に用いられる酸素を吸入する酸素吸入口をさらに備え、
前記通知制御部は、前記燃料が前記燃料電池セルに供給されているにも係わらず前記発電量が前記発電異常電力量以下である場合、前記酸素取入口の開放を促す旨の通知を行う請求項２記載の電子機器。
【請求項４】
前記燃料電池セルの温度を計測する温度計測部をさらに備え、
前記通知制御部は、前記温度が予め設定された異常温度以上である場合、前記電子機器を温度の低い環境に移動を促す旨の通知を行う請求項１〜３のいずれか１項に記載の電子機器。
【請求項５】
前記燃料電池の発電による前記二次電池の充電を停止する設定を受け付ける設定受付部をさらに備え、
前記通知制御部は、前記二次電池の充電停止の設定中に前記二次電池の電圧が前記発電開始電圧値よりも小さい予め設定された警告電圧値まで低下した場合、前記二次電池の電圧が低下した旨の通知を行う請求項１〜４のいずれか一項に記載の電子機器。
【請求項６】
二次電池と、
燃料電池セルと前記燃料電池セルに燃料を供給する燃料タンクとを有し、前記二次電池の電圧が予め設定された発電開始電圧値まで低下した場合に発電を行い、前記二次電池を充電する燃料電池と、
前記燃料タンクから前記燃料電池セルに供給される前記燃料を監視する燃料監視部と、
前記燃料が前記燃料電池セルに供給されていない場合、燃料が不足している旨の通知を行う通知制御部を備えたことを特徴とする電子機器。
【請求項７】
二次電池と、
燃料電池セルと前記燃料電池セルに燃料を供給する燃料タンクとを有し、前記二次電池の電圧が予め設定された発電開始電圧値まで低下した場合に発電を行い、前記二次電池を充電する燃料電池と、
前記燃料電池セルの温度を計測する温度計測部と、
前記温度が予め設定された異常温度以上である場合、前記電子機器を温度の低い環境に移動を促す旨の通知を行う通知制御部を備えたことを特徴とする電子機器。
【発明の詳細な説明】
【技術分野】
【０００１】
本発明は、燃料電池の発電により充電可能な二次電池を備えた電子機器に関する。
【背景技術】
【０００２】
近年、携帯電話機やカメラなどに代表される電子機器の小型化および高機能化が進んでいる。これと同時に、電子機器の電源となる電池に対してもこれまで以上の小型化および高性能化が要求されるようになってきた。中でも、リチウム電池と比較してエネルギ密度の高い小型の燃料電池が注目を集めており、燃料電池を電源とする電子機器の実用化が進められている。
【０００３】
例えば、特許文献１には燃料電池を駆動電源として備えた携帯端末装置が開示されている。また、特許文献２には、二次電池とこの二次電池を充電するための燃料電池を備えた携帯端末が開示されている。
【先行技術文献】
【特許文献】
【０００４】
【特許文献１】特開２００８−５２７２５号公報
【特許文献２】特開２００９−２９６７０９号公報
【発明の概要】
【発明が解決しようとする課題】
【０００５】
特許文献２に開示された携帯端末は、二次電池の電池残量（電池電圧）が低下している場合に自動的に燃料電池を発電させて二次電池を充電するものであった。二次電池の電圧が低下した場合であっても燃料電池から自動的に充電が行われるため、ユーザは電池残量を特に意識することなく電子機器の使用が継続できる点で有効である。
【０００６】
しかし、燃料電池は、使用状態によっては二次電池の電圧が下がっても種々の要因から発電が妨げられる場合がある。要因としては、例えば、燃料切れ、燃料セルへの酸素供給不足、燃料セルの温度上昇に伴う発電効率低下などが該当する。このため燃料電池の発電が行われず、二次電池に加え燃料電池を備えていることに対するユーザの安心感を損なう恐れがあった。
【０００７】
本発明はこのような事情を考慮してなされたもので、確実に燃料電池に発電を行わせることで、二次電池の電池電圧を維持することができる電子機器を提供することを目的とする。
【課題を解決するための手段】
【０００８】
本発明に係る電子機器は、上述した課題を解決するために、二次電池と、燃料電池セルと前記燃料電池セルに燃料を供給する燃料タンクとを有し、前記二次電池の電圧が予め設定された発電開始電圧値まで低下した場合に発電を行い前記二次電池を充電する燃料電池と、前記燃料電池の発電量を計測する発電量計測部と、前記発電量が予め設定された発電異常電力量以下である場合、発電が行われていない旨の通知を行う通知制御部とを備えたことを特徴とするものである。
【０００９】
また、本発明に係る電子機器は、二次電池と、燃料電池セルと前記燃料電池セルに燃料を供給する燃料タンクとを有し、前記二次電池の電圧が予め設定された発電開始電圧値まで低下した場合に発電を行い前記二次電池を充電する燃料電池と、前記燃料タンクから前記燃料電池セルに供給される前記燃料を監視する燃料監視部と、前記燃料が前記燃料電池セルに供給されていない場合、燃料が不足している旨の通知を行う通知制御部とを備えたことを特徴とするものである。
【００１０】
さらに、本発明に係る電子機器は、二次電池と、燃料電池セルと前記燃料電池セルに燃料を供給する燃料タンクとを有し、前記二次電池の電圧が予め設定された発電開始電圧値まで低下した場合に発電を行い前記二次電池を充電する燃料電池と、前記燃料電池セルの温度を計測する温度計測部と、前記温度が予め設定された異常温度以上である場合、前記電子機器を温度の低い環境に移動を促す旨の通知を行う通知制御部とを備えたことを特徴とする。
【発明の効果】
【００１１】
本発明に係る電子機器は、確実に燃料電池に発電を行わせることで、二次電池の電池電圧を維持することができる。
【図面の簡単な説明】
【００１２】
【図１】本発明に係る電子機器の一例である携帯電話機を示す外観図。
【図２】本発明に係る電子機器の一例である携帯電話機の主な機能構成を示す概略的な機能ブロック図。
【図３】図２のバッテリの構成を説明する主な機能ブロック図。
【図４】本実施形態における携帯電話機により実行される燃料電池発電処理を説明するフローチャート。
【図５】本実施形態における携帯電話機により実行される発電警告処理を説明するフローチャート。
【発明を実施するための形態】
【００１３】
本発明に係る電子機器の一実施形態を添付図面に基づいて説明する。
【００１４】
図１は、本発明に係る電子機器の一例である携帯電話機１を示す外観図である。
【００１５】
図１（Ａ）は、折り畳み式の携帯電話機１を約１８０度に開いた開状態のときの正面から見た外観の構成を示す図である。図１（Ｂ）は、図１（Ａ）の携帯電話機１を閉状態にした際の裏面（矢印Ｘ方向に折りたたんで見える面と逆面）から見た外観の構成を示す図である。
【００１６】
携帯電話機１は、中央のヒンジ部１１を境に第一の筐体１２と第二の筐体１３とがヒンジ結合されている。第一の筐体１２と第二の筐体１３とは、ヒンジ部１１を介して矢印Ｘ方向に折り畳み可能に形成される。携帯電話機１の内部の所定の位置には、送受信用のアンテナ（図２のアンテナ３１）が設けられる。携帯電話機１は、この内蔵されたアンテナを介して基地局（図示せず）との間で電波を送受信する。
【００１７】
第一の筐体１２には、その表面に操作キー１４が設けられる。操作キー１４は、数字キー１５、十字キー１６、確定キー１７などの複数のキーを備える。
【００１８】
数字キー１５は、「０」から「９」の数字や「あ行」から「わ行」のかな文字、「Ａ」から「Ｚ」のアルファベットの入力の受け付けが可能なキーである。十字キー１６は、上下左右方向に操作されることにより、メインディスプレイ２０に表示されたカーソルなどを上下左右方向に移動させる操作などを受け付ける。また、確定キー１７は、押下されることにより、種々の処理の確定操作などを受け付ける。
【００１９】
第一の筐体１２の側面には、サイドキー１８が設けられる。サイドキー１８は、携帯電話機１の開閉状態に関わらず操作可能で、押下されることによって所定の処理の指示を受け付ける。
【００２０】
第一の筐体１２には、操作キー１４の下部にマイクロフォン２１が設けられており、ユーザの音声はマイクロフォン２１によって集音される。
【００２１】
第二の筐体１３には、メインディスプレイ２０が設けられている。メインディスプレイ２０は、電波の受信状態および電池残量を示すピクトアイコンや現在日時の他、電子メールの内容、簡易ホームページなどを表示することができる。なお、メインディスプレイ２０は、例えばＬＣＤ（ＬｉｑｕｉｄＣｒｙｓｔａｌＤｉｓｐｌａｙ）、有機ＥＬ（ＥｌｅｃｔｒｏＬｕｍｉｎｅｓｃｅｎｃｅ）ディスプレイにより構成されるディスプレイである。
【００２２】
また、第二の筐体１３のメインディスプレイ２０の上部の所定の位置にはスピーカ（受話器）２２が設けられ、通話相手の音声はスピーカ２２から出力される。
【００２３】
一方、第一の筐体１２の裏面側には、図３で詳述されるバッテリを収容するためのバッテリ収容部が設けられている。このバッテリ収容部はバッテリ収容部蓋２３によって覆われており、また、バッテリ収容部蓋２３には燃料電池の発電時に用いられる酸素を吸入するための酸素吸入口２４が設けられている。
【００２４】
図２は、本発明に係る電子機器の一例である携帯電話機１の主な機能構成を示す概略的な機能ブロック図である。
【００２５】
携帯電話機１は、Ｗ−ＣＤＭＡ方式、ＧＳＭ方式、ｃｄｍａ２０００  １ｘ  ＲＴＴ方式、ＥＶＤＯ方式、および３．９世代のＬＴＥシステムの無線アクセスであるＥ−ＵＴＲＡ方式などの無線通信方式によって音声通信やデータ通信を行う通信機能を備える。また、アンテナ３１、無線送受信部３２、信号処理部３３はこれらの方式に対応する。
【００２６】
アンテナ３１は、移動通信網に収容される基地局から所定の通信処理システムで送信される無線信号を空間から受信する。また、アンテナ３１は、所定の通信処理システムで無線通信できるように空間に所定のアクセス方式の無線信号を放射する。
【００２７】
無線送受信部３２は、アンテナ３１を介して、移動通信網に収容される基地局との間で所定の通信処理方式で無線通信する。無線送受信部３２は、信号処理部３３にて生成された変調信号に基づいて、制御部３９から指示されるキャリア周波数の無線信号を生成する。また、無線送受信部３２は、制御部３９から指示されるキャリア周波数の無線信号を受信し、周波数シンセサイザから出力された局部発振信号とミキシングして中間周波数信号に周波数変換（ダウンコンバート）する。そして、無線送受信部３２は、このダウンコンバートされた中間周波数信号を直交復調して受信ベースバンド信号を出力する。この受信結果は、信号処理部３３と制御部３９に出力される。
【００２８】
信号処理部３３は、ＤＳＰ（Ｄｉｇｉｔａｌ  Ｓｉｇｎａｌ  Ｐｒｏｃｅｓｓｏｒ）などにより構成され、受信ベースバンド信号に所定の信号処理を施し、所定の伝送フォーマットのパケットデータを抽出し、さらにこのパケットデータに含まれるデータを復調および復号することでディジタル音声データなどを得る。このディジタル音声データは、ＰＣＭコーデック３４に供給されてアナログ音声データに変換され、受話増幅器３５で増幅された後、スピーカ２２から出力される。
【００２９】
一方、マイクロフォン２１に入力された話者のアナログ音声データは、送話増幅器３７により適正レベルまで増幅された後、ＰＣＭコーデック３４でディジタル音声データに変換され、信号処理部３３に入力される。信号処理部３３は、このディジタル音声データを符号化して音声データを求める。その後、信号処理部３３は、この音声データをパケット化することでパケットデータを求め、さらに変調処理することで変調信号に変換し、この変調信号を無線送受信部３２に出力する。
【００３０】
制御部３９は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）などからなる。ＣＰＵは、ＲＯＭに記憶されているプログラムまたは記憶部４３からＲＡＭにロードされた、オペレーティングシステム（ＯＳ）を含む各種のアプリケーションプログラムや制御プログラムに従って各種の処理を実行する。また、ＣＰＵは、種々の制御信号を生成し、各部に供給することにより携帯電話機１を統括的に制御する。また、ＲＡＭは、ＣＰＵが各種の処理を実行する上において必要なデータなどを適宜記憶する。
【００３１】
記憶部４３は、例えば、電気的に書換えや消去が可能な不揮発性メモリであるフラッシュメモリ素子やＨＤＤ（Ｈａｒｄ  Ｄｉｓｃ  Ｄｒｉｖｅ）などからなる。記憶部４３は、制御部３９のＣＰＵより実行される種々のアプリケーションプログラムや種々のデータ群、携帯電話機１の制御プログラムや制御データを格納する。この他にも、記憶部４３は、例えば連絡先情報が登録された電話帳データや、データ通信により取得したデータやダウンロードしたデータなどを適宜記憶する。
【００３２】
電源回路４４は、バッテリ４５の出力を基に所定の動作電源電圧Ｖｃｃを生成して各回路部に供給する。バッテリ４５は、例えばリチウムイオン電池などの二次電池４５ａと燃料電池４５ｂとから構成され、二次電池４５ａは、図示しないコネクタ部で接続されたＡＣアダプタや燃料電池４５ｂより供給された電力を蓄電するようになっている。また、電源回路４４は、二次電池４５ａの電池残量（電池電圧）を検出し、制御部３９に通知を行う。  
時計回路（タイマ）４６は、現在の時刻や一定の時間を測定する。
【００３３】
図３は、図２のバッテリ４５の構成を説明するためのブロック図である。  
燃料電池４５ｂは、例えばメタノールを燃料としたダイレクトメタノール形燃料電池（ＤＭＦＣ）であり、発電された電力を二次電池４５ａに供給する電力源である。
【００３４】
燃料電池制御用マイコン５１は、燃料電池４５ｂを統括的に制御し、発電された電力を二次電池４５ａに供給させる。燃料電池制御用マイコン５１は、バルブ５２の開閉制御、燃料流量計５３、電力計５４、温度計５５から出力された各測定結果に基づいた所定の制御を行う。また、燃料電池制御用マイコン５１は、通信制御部５９を介して制御部３９との間で制御信号の送受信を行う。
【００３５】
燃料タンク５６は、燃料電池セル５７に供給する燃料を蓄える。燃料は、バルブ５２が燃料電池制御用マイコン５１の開閉制御に伴い燃料電池セル５７に供給されるようになっている。
【００３６】
燃料電池セル５７は、主にアノード（燃料極）、カソード（空気極）および電解質層からなるセルがスタック状に構成されており、燃料および酸素吸入口２４（図１）より空気中の酸素Ｏが吸入されて化学反応を行うことにより発電を行う。
【００３７】
ＤＣ／ＤＣコンバータ５８は、燃料電池セル５７において発電された電力の出力を昇圧し、二次電池４５ａに供給する。
【００３８】
燃料を監視する燃料監視部としての燃料流量計５３は、バルブ５２の開状態に伴い供給された燃料の流量を計測する。燃料電池セルの温度を計測する温度計測部としての温度計５５は、燃料電池セル５７の温度を計測する。また、燃料電池の発電量を計測する発電量計測部としての電力計５４は、ＤＣ／ＤＣコンバータ５８において昇圧された電力の電力量を計測する。計測された燃料流量、温度、電力量は、それぞれ燃料電池制御用マイコン５１に出力される。
【００３９】
次に、燃料電池４５ｂの発電に伴い二次電池４５ａの充電を行う際の処理について説明する。
【００４０】
図４は、本実施形態における携帯電話機１により実行される燃料電池発電処理を説明するフローチャートである。
【００４１】
ステップＳ１において、燃料電池４５ｂは発電停止状態である。
【００４２】
ステップＳ２において燃料電池制御用マイコン５１は、二次電池４５ａの電池残量（電池電圧）が発電開始電圧値としての所定値Ｖ１より小さいか否かの判定を行う。このとき燃料電池制御用マイコン５１は、通信制御部５９を介し、制御部３９より二次電池４５ａの電池電圧を取得し、この電池電圧が所定値Ｖ１より小さいか否かの判定を行う。所定値Ｖ１は、予め設定された値またはユーザ任意に設定された電圧値（例えば３．８Ｖ）であり、燃料電池４５ｂの発電による充電の開始を判断するために設定された値である。燃料電池制御用マイコン５１は、二次電池４５ａの電池電圧が所定値Ｖ１以上であると判定した場合、電池電圧が所定値Ｖ１より小さくなるまで待機する。
【００４３】
一方、燃料電池制御用マイコン５１は、電池電圧が所定値Ｖ１より小さいと判定した場合、ステップＳ３において、バルブ５２を制御し開状態とすることにより燃料電池セル５７に発電を開始させる。
【００４４】
ステップＳ４において、燃料電池制御用マイコン５１は、温度計５５より出力された燃料電池セル５７の温度が予め設定された異常温度としての所定値Ｔより大きいか否かの判定を行う。所定値Ｔは、例えば燃料電池セル５７が正常に動作する温度範囲や、燃料電池４５ｂ自身が発生させた熱でユーザに火傷を負わせないための上限温度（例えば５５℃）として設定される。燃料電池制御用マイコン５１は、燃料電池セル５７の温度が所定値Ｔ以下であると判定した場合、ステップＳ９へ進む。
【００４５】
一方、燃料電池制御用マイコン５１は、燃料電池セル５７の温度が所定値Ｔより大きいと判定した場合、ステップＳ５において、バルブ５２を制御し閉状態とすることにより燃料電池セル５７の発電を停止させる。また、ステップＳ６において、燃料電池制御用マイコン５１は、燃料電池セル５７が温度異常である旨を制御部３９に通知する。制御部３９は、例えば携帯電話機１を温度の低い場所に移動させる旨の通知をメインディスプレイ２０に表示させたり、スピーカ２２よりアラーム音を出力させたりする。
【００４６】
ステップＳ７において、通知を受けたユーザにより温度の低い場所に移動されるなどしての携帯電話機１の温度環境が改善されると、燃料電池制御用マイコン５１は、ステップＳ８において発電を再開する操作を受け付ける。なお、発電の再開は、操作キー１４を介して受け付けたユーザ操作により行ってもよいし、温度計５５から出力された温度が所定値Ｔ以下となった場合に燃料電池制御用マイコン５１の判断により再開してもよい。以下に説明するステップＳ８の処理においても同様である。
【００４７】
燃料電池制御用マイコン５１は、発電を再開する操作を受け付けると、発電開始ステップＳ３に戻り再度バルブ５２を開状態として発電を再開させる。
【００４８】
一方、温度判定ステップＳ４において燃料電池セル５７の温度が所定値Ｔ以下であると判定した場合、ステップＳ９において、燃料電池制御用マイコン５１は、燃料流量計５３より出力された燃料流量に基づいて、燃料タンク５６より燃料が供給されているか否か（燃料流量≒０ｍｌ／分であるか否か）の判定を行う。燃料電池制御用マイコン５１は、燃料が供給されていると判定した場合、ステップＳ１３へ進む。
【００４９】
一方、燃料電池制御用マイコン５１は、燃料タンク５６より燃料が供給されていないと判定した場合、ステップＳ１０において、バルブ５２を制御し閉状態とすることにより燃料電池セル５７の発電を停止させる。また、ステップＳ１１において、燃料電池制御用マイコン５１は、燃料タンク５６が燃料切れである旨を、通信制御部５９を介して制御部３９に通知する。制御部３９は、例えばメインディスプレイ２０に燃料が不足している旨の通知や燃料の補給を促す旨の通知を表示させたり、スピーカ２２よりアラーム音を出力させたりする。
【００５０】
ステップＳ１２において通知を受け付けたユーザにより燃料タンク５６に燃料が補給された後、燃料電池制御用マイコン５１は、ステップＳ８に進みユーザより発電を再開する操作を受け付ける。燃料電池制御用マイコン５１は、発電を再開する操作を受け付けると、ステップＳ３に戻り再度バルブ５２を開状態として発電を再開させる。
【００５１】
一方、燃料電池制御用マイコン５１は、流量判定ステップＳ９において燃料タンク５６より燃料が供給されていると判定した場合、ステップＳ１３において、電力計５４より出力された電力量が予め設定された発電異常電力量としての所定値Ｗより小さいか否かの判定を行う。所定値Ｗは、例えば燃料電池セル５７における発電が正常であるか否かが判定可能な数値に設定される。燃料電池制御用マイコン５１は、電力量が所定値Ｗ以上であると判定した場合、すなわち正常に発電が行われていると判定した場合、ステップＳ１７へ進む。
【００５２】
一方、燃料電池制御用マイコン５１は、電力計５４より出力された電力量が所定値Ｗより小さいと判定した場合、ステップＳ１４において、バルブ５２を制御し閉状態とすることにより燃料電池セル５７の発電を停止させる。また、ステップＳ１５において、燃料電池制御用マイコン５１は、燃料が燃料電池セル５７に供給されているにも係わらず発電量が所定値Ｗ以下であるため、酸素吸入口２４より取り込まれる酸素Ｏが不足していると判定する。燃料電池制御用マイコン５１は、酸素供給不足である旨を、通信制御部５９を介して制御部３９に通知する。制御部３９は、例えばメインディスプレイ２０に酸素の供給不足であるため酸素吸入口の開放を促す旨の通知を表示させたり、スピーカ２２よりアラーム音を出力させたりする。
【００５３】
ステップＳ１６において通知を受け付けたユーザにより酸素吸入口が開放され後、燃料電池制御用マイコン５１は、ステップＳ８に進みユーザより発電を再開する操作を受け付ける。燃料電池制御用マイコン５１は、発電を再開する操作を受け付けると、ステップＳ３に戻り再度バルブ５２を開状態として発電を再開させる。
【００５４】
一方、燃料電池制御用マイコン５１は、発電量判定ステップＳ１３において電力計より出力される電力量が所定値Ｗ以上であると判定した場合、ステップＳ１７において、二次電池４５ａの電圧が所定値Ｖ２より小さいか否かの判定を行う。所定値Ｖ２は、例えば二次電池４５ａが満充電されたか否かを判定可能な電圧値（例えば４．２Ｖ）に設定される。燃料電池制御用マイコン５１は、二次電池４５ａの電圧値が所定値Ｖ２より小さいと判定した場合、ステップＳ１８において、燃料電池セル５７による発電が正常に行われている状態であると判断し温度判定ステップＳ４に戻り、二次電池４５ａの電圧値が所定値Ｖ２以上となるまで（満充電となるまで）ステップＳ４〜ステップＳ１７の処理を繰り返す。
【００５５】
一方、燃料電池制御用マイコン５１は、二次電池４５ａの電圧値が所定値Ｖ２以上であると判定した場合、ステップＳ１９において、二次電池４５ａの満充電を検出する。ステップＳ２０において、燃料電池制御用マイコン５１は、バルブ５２を制御し閉状態とすることにより燃料電池セル５７の発電を停止させた後、発電停止状態ステップＳ１に戻る。
【００５６】
この携帯電話機１によれば、二次電池４５ａの充電を自動的に行う際に燃料電池セル５７の発電が行われない外的要因を特定し、好適にユーザに通知することができる。また、ユーザは発電が行われていないこと、および発電を妨げる要因を認識することができ、その要因を解消することができる。
【００５７】
この結果、携帯電話機１は、確実に燃料電池セル５７に発電を行わせることができ、二次電池４５ａの電池電圧を好適に維持することができる。
【００５８】
なお、図４の燃料電池発電処理においては、温度計５５から出力された燃料電池セル５７の温度を判定する温度判定ステップＳ４、燃料流量計５３から出力された燃料流量を判定する流量判定ステップＳ９、電力計５４から出力された発電電力量を判定する電力量判定ステップＳ１３の順に行われる処理を例に説明した。しかし、これらの判定ステップは個別に行ってもよいし、異なる順序で行ってもよい。また、いずれかの数値異常が検出された場合には、単に発電が正常に行われていない旨をユーザに通知することにより注意喚起を行ってもよい。
【００５９】
携帯電話機１は、二次電池４５ａの電池電圧が所定値Ｖ１まで低下すると自動的に燃料電池４５ｂによる発電を行い、二次電池４５ａ充電を行う例を説明した。しかし燃料電池セル５７を自動的に発電させないようなユーザ設定を行わせてもよい。以下、燃料電池セル５７の発電に伴う自動による二次電池４５ａの充電を停止する設定がなされていた場合の通知処理について説明する。
【００６０】
図５は、本実施形態における携帯電話機１により実行される発電警告処理を説明するフローチャートである。
【００６１】
ステップＳ２１において、燃料電池４５ｂは発電停止状態である。
【００６２】
ステップＳ２２において、燃料電池制御用マイコン５１は、二次電池４５ａの電池残量（電池電圧）が予め設定された警告電圧値としての所定値Ｖ３より小さいか否かの判定を行う。このとき燃料電池制御用マイコン５１は、制御部３９より二次電池４５ａの電池電圧を取得し、所定値Ｖ３より小さいか否かの判定を行う。所定値Ｖ３は、予め設定された値またはユーザ任意に設定された電圧値（例えば３．４Ｖ）であり、図４の燃料電池発電処理の電圧値判定ステップＳ２において発電開始の判定に用いられる電圧値Ｖ１（発電開始電圧値）よりも小さい値が設定される。ユーザにより発電を禁止する設定が行われているため、自動的に発電が許可されている場合よりも小さい値に設定されることがユーザの意図に合致するためである。燃料電池制御用マイコン５１は、二次電池４５ａの電池電圧が所定値Ｖ３以上であると判定した場合、電池電圧が所定値Ｖ３より小さくなるまで待機する。
【００６３】
一方、燃料電池制御用マイコン５１は、電池電圧が所定値Ｖ３より小さいと判定した場合、ステップＳ２３において、発電停止中において二次電池４５ａの電池電圧がＶ３より小さくなった旨を、通信制御部５９を介して制御部３９に通知する。このとき制御部３９は、例えばメインディスプレイ２０に燃料電池４５ｂによる発電が停止中である旨の警告を表示させたり、スピーカ２２よりアラーム音を出力させたりする。ステップＳ２４において、燃料電池制御用マイコン５１は発電を開始する操作を受け付けると、図４の燃料電池発電処理に進み、燃料電池セル５７の発電による二次電池４５ａの充電を行う。
【００６４】
この携帯電話機１は、発電停止中であっても二次電池４５ａの電池電圧低下時においてはユーザに対する警告を行うことにより、発電を任意に停止したユーザであっても二次電池４５ａの電池切れを認識することができる。このため、二次電池４５ａの電池電圧を極端に低下させることなく維持することができる。
【００６５】
なお、本発明に係る電子機器は、携帯電話機１のみならず例えばＰＤＡ（ＰｅｒｓｏｎａｌＤｉｇｉｔａｌＡｓｓｉｓｔａｎｔ）、パーソナルコンピュータ、携帯型ゲーム機、携帯型音楽再生機、携帯型動画再生機、その他の電子機器に適用することができる。
【００６６】
また、本発明の実施形態において説明した一連の処理は、ソフトウェアにより実行させることもできるが、ハードウェアにより実行させることもできる。
【００６７】
さらに、本発明の実施形態では、フローチャートのステップは、記載された順序に沿って時系列的に行われる処理例を示したが、必ずしも時系列的に処理されなくとも、並列的あるいは個別実行される処理をも含むものである。
【符号の説明】
【００６８】
１  携帯電話機
１４  操作キー
２０  メインディスプレイ
２２  スピーカ
２３  バッテリ収容部蓋
２４  酸素吸入口
３９  制御部
４４  電源回路
４５  バッテリ
４５ａ  二次電池
４５ｂ  燃料電池
５１  燃料電池制御用マイコン
５２  バルブ
５３  燃料流量計
５４  電力計
５５  温度計
５６  燃料タンク
５７  燃料電池セル
５８  ＤＣ／ＤＣコンバータ
５９  通信制御部
【図１】
2011166970.tif 000003
【図２】
2011166970.tif 000004
【図３】
2011166970.tif 000005
【図４】
2011166970.tif 000006
【図５】
2011166970.tif 000007